(57)【要約】【課題】シール材の開放部分を通して注出された内容物がシール材の上面に溜まるのを抑制した蓋付カップ容器を提供する。【解決手段】蓋付カップ容器１は、上端開口部がシール材１８で密封された有底筒状のカップ体１１と、シール材の上方に配設された天壁部２５を有し、カップ体に装着された蓋体２１と、天壁部に形成された貫通孔２５ａ内に配設され、シール材を開封する開封部材４１と、を備え、開封部材は、前端部にシール材を破断する破断部４２が形成されるとともに、破断部よりも後方に配設されたヒンジ部４３を介して天壁部に連結された主板部４４を備え、蓋体には、下方に向かって突出するとともに、上面視において、ヒンジ部が延びる左右方向に主板部を挟む規制部３２が各別に形成され、規制部は、カップ体の上端開口縁よりも下方に張り出している。【選択図】図２
2018203304.tif 000002
【特許請求の範囲】
【請求項１】
上端開口部がシール材で密封された有底筒状のカップ体と、
前記シール材の上方に配設された天壁部を有し、前記カップ体に装着された蓋体と、
前記天壁部に形成された貫通孔内に配設され、前記シール材を開封する開封部材と、
を備え、
前記開封部材は、前端部に前記シール材を破断する破断部が形成されるとともに、前記破断部よりも後方に配設されたヒンジ部を介して前記天壁部に連結された主板部を備え、
前記蓋体には、下方に向かって突出するとともに、上面視において、前記ヒンジ部が延びる左右方向に前記主板部を挟む規制部が各別に形成され、
前記規制部は、前記カップ体の上端開口縁よりも下方に張り出していることを特徴とする蓋付カップ容器。
【請求項２】
前記蓋体には、前記主板部が、前記破断部を下方に向かわせるように前記ヒンジ部周りに回転して、前記シール材を破断したときに、この主板部が係止される係止部が設けられていることを特徴とする請求項１に記載の蓋付カップ容器。
【請求項３】
前記主板部に、前記ヒンジ部に前記ヒンジ部の後方から連なり下方に向かって突出する被係止部が形成され、
前記天壁部に、内側に前記被係止部が配設された進入孔が形成され、
前記係止部は、前記進入孔の内面、又は前記天壁部の上面における前記進入孔の開口周縁部であることを特徴とする請求項２に記載の蓋付カップ容器。
【請求項４】
前記破断部は、前記シール材の外周部に対して上下方向に対向していることを特徴とする請求項２又は３に記載の蓋付カップ容器。
【発明の詳細な説明】
【技術分野】
【０００１】
本発明は、蓋付カップ容器に関する。
【背景技術】
【０００２】
従来、蓋付カップ容器として、例えば下記特許文献１に記載されているように、上端開口部がシール材で密封された有底筒状のカップ体と、シール材の上方に配設された天壁部を有し、カップ体に装着された蓋体と、天壁部に形成された貫通孔内に配設され、シール材を開封する開封部材と、を備えた蓋付カップ容器が知られている。
【０００３】
この蓋付カップ容器では、主板部をヒンジ部回りに回転させて破断部によりシール材を破断してカップ体を開封することができる。その後、蓋付カップ容器を傾けると、カップ体内の内容物が、シール材のうち破断されて形成された開放部分を通して注出される。
【先行技術文献】
【特許文献】
【０００４】
【特許文献１】特開２０１６−１４１４０４号公報
【発明の概要】
【発明が解決しようとする課題】
【０００５】
しかしながら、前記従来の蓋付カップ容器では、シール材の前記開放部分を通して内容物を注出するときに、内容物がシール材の上面に進出して溜まるおそれがあった。
【０００６】
本発明は、このような問題点に鑑みてなされたものであって、シール材の開放部分を通して注出された内容物がシール材の上面に溜まるのを抑制した蓋付カップ容器を提供することを目的とする。
【課題を解決するための手段】
【０００７】
上記課題を解決するために、この発明は以下の手段を提案している。
本発明の蓋付カップ容器は、上端開口部がシール材で密封された有底筒状のカップ体と、前記シール材の上方に配設された天壁部を有し、前記カップ体に装着された蓋体と、前記天壁部に形成された貫通孔内に配設され、前記シール材を開封する開封部材と、を備え、前記開封部材は、前端部に前記シール材を破断する破断部が形成されるとともに、前記破断部よりも後方に配設されたヒンジ部を介して前記天壁部に連結された主板部を備え、前記蓋体には、下方に向かって突出するとともに、上面視において、前記ヒンジ部が延びる左右方向に前記主板部を挟む規制部が各別に形成され、前記規制部は、前記カップ体の上端開口縁よりも下方に張り出していることを特徴としている。
【０００８】
この発明によれば、上面視において一対の規制部同士の間に位置する主板部が、ヒンジ部回りに回転すると、上面視においてシール材のうち一対の規制部同士の間に位置する部分が破断部により破断され、シール材に開放部分が形成される。シール材と蓋体との間の空間において、開放部分の上方に位置する部分（以下、流通空間という）が、左右方向の両側は規制部によりに覆われるとともに、後方は主板部により覆われることとなる。こうして前記流通空間が３方向から覆われることで、シール材の開放部分を通して注出された内容物がシール材の上面に溜まるのを抑制することができる。
【０００９】
また、上記の蓋付カップ容器において、前記蓋体には、前記主板部が、前記破断部を下方に向かわせるように前記ヒンジ部周りに回転して、前記シール材を破断したときに、この主板部が係止される係止部が設けられていてもよい。
この発明によれば、主板部を、シール材を破断した姿勢に保持することが可能になり、前記流通空間が３方向から覆われた状態を確実に保持することができる。
【００１０】
また、上記の蓋付カップ容器において、前記主板部に、前記ヒンジ部に前記ヒンジ部の後方から連なり下方に向かって突出する被係止部が形成され、前記天壁部に、内側に前記被係止部が配設された進入孔が形成され、前記係止部は、前記進入孔の内面、又は前記天壁部の上面における前記進入孔の開口周縁部であってもよい。
この発明によれば、主板部の回転中心となるヒンジ部の近傍に被係止部が配設されるため、主板部に作用させた力よりも大きな力が被係止部に作用し、主板部を移動させた距離よりも被係止部が移動する距離が短くなる。したがって、係止部に被係止部を係止させるのに要する力、および被係止部の回転移動量を抑制することが可能になり、簡易な構成で優れた操作性を与えることができる。
【００１１】
また、上記の蓋付カップ容器において、前記破断部は、前記シール材の外周部に対して上下方向に対向していてもよい。
この発明によれば、前記流通空間をシール材と蓋体との間の空間における前端部に位置させることが可能となり、前記流通空間よりも前方に位置するシール材を極力排除することができる。したがって、前述のように前記流通空間が３方向から覆われていることから、内容物がシール材の上面に溜まるのを確実に抑制することができる。
【発明の効果】
【００１２】
本発明の蓋付カップ容器によれば、シール材の開放部分を通して注出された内容物がシール材の上面に溜まるのを抑制することができる。
【図面の簡単な説明】
【００１３】
【図１】本発明の一実施形態の蓋付カップ容器の縦断面図である。
【図２】図１に示す要部の拡大図である。
【図３】蓋付カップ容器の蓋体の上面図である。
【図４】図３に示す蓋体の下面図である。
【図５】図４に示すＶ−Ｖ線に相当する断面図である。
【図６】蓋付カップ容器の作用を説明するための要部の縦断面図である。
【発明を実施するための形態】
【００１４】
以下、本発明に係る蓋付カップ容器の一実施形態を、図１から図６を参照しながら説明する。
図１に示すように、本実施形態の蓋付カップ容器１は、内容物が収容されたカップ体１１と、カップ体１１に装着された蓋体２１と、カップ体１１の上端開口部を密封するシール材１８を開封する開封部材４１と、蓋体２１に装着されたオーバーキャップ６１と、を備えている。
【００１５】
ここで、カップ体１１は有底筒状に形成され、蓋体２１およびオーバーキャップ６１は有頂筒状に形成されている。カップ体１１、蓋体２１、およびオーバーキャップ６１それぞれの中心軸は、共通軸と同軸に配置されている。以下では、共通軸を容器軸Ｏといい、容器軸Ｏに沿う方向を上下方向という。上下方向のうち、オーバーキャップ６１側を上方といい、カップ体１１の底部側を下方という。蓋付カップ容器１を上下方向から見て、容器軸Ｏに直交する方向を径方向といい、容器軸Ｏ回りに周回する方向を周方向という。
【００１６】
カップ体１１は、底部１２および胴部１３を有し、横断面視が円形状に形成されている。
胴部１３は、上方から下方に向かうにしたがって漸次、縮径している。ただし、胴部１３の形状は、例えば上下方向の全長にわたって外径を同等にする等、この場合に限定されない。底部１２は、有頂円筒状に形成され、その天壁部の外周縁に胴部１３の下端開口縁が連なっている。
胴部１３の内周面には、カップ体１１を上下方向に重ね合わせながら多段に積み上げる際に、胴部１３の内側に差し込まれる別のカップ体１１の底部１２の下端開口縁が上方から当接する支持突起１４が形成されている。この支持突起１４は、胴部１３の内周面から径方向内側に向かって突出するとともに、周方向の全周にわたって間隔を空けて配設されている。
ただし、支持突起１４はカップ体１１に必須な構成ではなく、カップ体１１は支持突起１４を備えなくてもよい。
【００１７】
胴部１３の上端開口縁には、径方向外側に向かって突出するフランジ部１５が全周にわたって形成されている。上記シール材１８は、このフランジ部１５の上面に固着されており、カップ体１１の上端開口部を密封している。なお、胴部１３にフランジ部１５を形成しなくてもよい。
シール材１８は、例えばアルミニウム蒸着シート等のバリア性シート材で構成され、その下面に熱溶着層が形成されているものが用いられる。ただし、シール材１８の構成はこれに限定されず、シール材１８として、例えば合成樹脂の単層あるいは積層シート、または金属薄膜層と合成樹脂層とが積層された積層シート等を用いてもよい。
【００１８】
シール材１８の固着方法としては、例えば貼着、圧着、熱溶着、高周波溶着、または接着等が用いられる。シール材１８としてバリア性シート材を用いた場合には、カップ体１１内に飲料等の内容物を収容した後で、フランジ部１５の上面に全周にわたってシール材１８を熱溶着してカップ体１１の上端開口部を封止すればよい。
なお、本実施形態では、カップ体１１内の圧力が蓋付カップ容器１の周囲の圧力に比べて低い状態でシール材１８がフランジ部１５に固着されるため、フランジ部１５に固着されたシール材１８は、下方に向かって突となる湾曲した曲面状になっている。
【００１９】
図２から図４に示すように、蓋体２１は、カップ体１１のフランジ部１５を径方向外側から囲む円筒状の装着筒部２２と、装着筒部２２の上端部からこの上端部の全周にわたって径方向内側に向かって突出し、フランジ部１５の上方に配設される円環状の連結板２３と、連結板２３の内周縁から上方に向かって延びる円筒状の周壁部２４と、周壁部２４の上端部に接続されるとともにシール材１８の上方に配設された天壁部２５と、を有している。
【００２０】
装着筒部２２の内周面には、径方向内側に向かって突出し、フランジ部１５に対してアンダーカット嵌合する第１係合突部２２ａが周方向に間隔を空けて複数形成されている。第１係合突部２２ａは、周方向に延びる突条状に形成されている。なお、第１係合突部２２ａは、装着筒部２２の内周面に全周にわたって連続的に延びてもよい。
蓋体２１は、第１係合突部２２ａがフランジ部１５に対してアンダーカット嵌合することによって、カップ体１１に装着されている。なお、蓋体２１をカップ体１１に装着させる構造は、アンダーカット嵌合に限定されない。
【００２１】
図３および図４に示すように、天壁部２５は、容器軸Ｏと同軸に配設された円板状に形成されている。天壁部２５には、上面視において径方向のうちの一方向に長い長方形状を呈する貫通孔２５ａが形成されている。以下では、前記一方向を前後方向といい、径方向のうち前後方向に直交する方向を左右方向という。
貫通孔２５ａは、天壁部２５における左右方向の中央部に形成されている。貫通孔２５ａは、天壁部２５に容器軸Ｏを前後方向に跨いで配設されている。天壁部２５における貫通孔２５ａの開口周縁部において、前後方向の一方側の端縁は、天壁部２５の外周縁に位置し、前後方向の他方側の端縁は、天壁部２５の外周縁よりも径方向の内側に位置している。以下、前後方向の前記一方側を前方といい、前後方向の前記他方側を後方という。
【００２２】
図２から図４に示すように、天壁部２５は、前方から後方に向かって、第１天壁部２７、第２天壁部２８、および第３天壁部２９がこの順で並べられて構成されている。
第２天壁部２８は、表裏面が上下方向を向く板状に形成され、上面視において左右方向に長い長方形状を呈する（図３参照）。
第１天壁部２７は、表裏面が上下方向を向く板状に形成され、上面視において前方に向かって突となる半円形状に形成されている。第１天壁部２７は、第２天壁部２８の前端部から、前方に向かうに従い漸次、下方に向かって延びている。
第３天壁部２９は、表裏面が上下方向を向く板状に形成され、上面視において後方に向かって突となる半円形状に形成されている。第３天壁部２９は、第２天壁部２８の後端部から、後方に向かうに従い漸次、下方に向かって延びている。第１天壁部２７および第３天壁部２９はそれぞれ、左右方向の全域にわたって下方に向かって凸となるように湾曲している。
【００２３】
図３および図４に示すように、これら第１天壁部２７、第２天壁部２８、および第３天壁部２９における左右方向の中央部に、貫通孔２５ａが一体に形成されている。貫通孔２５ａは、第１天壁部２７および第２天壁部２８の前後方向の全長にわたって形成され、貫通孔２５ａの開口周縁部の前端縁は、第１天壁部２７の前端縁に達している。貫通孔２５ａの開口周縁部の後端縁は、第３天壁部２９の後端部に位置している。
【００２４】
図２および図４に示すように、天壁部２５の下面には、下方に向かって突出するとともに、上面視において後述する主板部４４を左右方向に挟む規制部３２が各別に形成されている。規制部３２は、カップ体１１の上端開口縁よりも下方に張り出している。規制部３２は、第１天壁部２７の下面に形成されている。規制部３２は、第１規制部３３と、第１規制部３３に対して左右方向の外側に配設された第２規制部３４と、第１規制部３３の後端縁と第２規制部３４の後端縁とを連結する第３規制部３５と、を有している。
第１規制部３３および第２規制部３４は、第１天壁部２７の前端縁から後方に向かって延びている。
【００２５】
第１規制部３３は、第１天壁部２７の下面における貫通孔２５ａの開口周縁部のうち、左右方向の両端に位置して前後方向に延びる部分に配設されている。第１規制部３３は、表裏面が左右方向を向く板状に形成されている。第２規制部３４は、第１天壁部２７の左右方向の外側に配設されるとともに、表裏面が左右方向を向く板状に形成されている。上面視において、一対の第２規制部３４は、一対の第１規制部３３を左右方向に挟んでいる。第３規制部３５は、表裏面が前後方向を向く板状に形成されている。第１規制部３３および第２規制部３４の各後端縁の前後方向の各位置は、互いに同等である。
第１規制部３３、第２規制部３４、および第３規制部３５のうち少なくとも第１規制部３３は、カップ体１１の上端開口縁よりも下方に張り出している。
【００２６】
図２に示すように、第１規制部３３および第２規制部３４それぞれの前部の下端縁は、前方に向かうに従い漸次、上方に向かって延びる曲線状に形成されている。第１規制部３３および第２規制部３４それぞれにおいて、後部の下端縁は、前後方向に延びていて、前部の下端縁と段差なく連なっている。第１規制部３３および第２規制部３４それぞれにおいて、後端縁は上下方向に延び、この後端縁と下端縁との接続部分は、左右方向から見て斜め後方に向かって突の曲線状を呈している。
規制部３２がカップ体１１の上端開口縁よりも下方に張り出す長さは、カップ体１１に蓋体２１を装着したときに、下方に向かって突となる湾曲した曲面状のシール材１８に規制部３２の下端縁が接触して規制部３２がシール材１８を破断しないように、設定されている。規制部３２がカップ体１１の上端開口縁よりも下方に張り出しているため、規制部３２がシール材１８を下方に押圧して規制部３２がシール材１８に密着しやすくなるとともに、規制部３２の下端縁とシール材１８の上面との間に隙間が形成されにくい。
なお、規制部３２は、第１規制部３３および第２規制部３４の一方だけで構成されてもよい。規制部３２は、第３規制部３５を備えなくてもよい。
【００２７】
図２および図４に示すように、第１天壁部２７における貫通孔２５ａの開口周縁部には、第１規制部３３の後端縁から後方に向かって延び、下方に向かって突出する第１補強壁部３６が形成されている。第１補強壁部３６は、表裏面が左右方向を向く板状に形成されている。第１補強壁部３６の下端部は、カップ体１１の上端開口縁よりも上方に配設されている。第１補強壁部３６の後端縁は、第１天壁部２７の後端部に位置している。
【００２８】
図３および図４に示すように、第２天壁部２８には、貫通孔２５ａから左右方向の両外側に張り出した進入孔２８ａが各別に形成されている。進入孔２８ａは、上面視において左右方向に長い長方形状を呈する。第２天壁部２８における進入孔２８ａの開口周縁部の前端縁、および第２天壁部２８の前端縁それぞれの前後方向の各位置は、互いに同等である。進入孔２８ａは、第２天壁部２８の前端部に形成されている。
【００２９】
図２および図４に示すように、第２天壁部２８における貫通孔２５ａの開口周縁部の左右方向の両端縁には、下方に向かって突出する第２補強壁部３７が形成されている。第２補強壁部３７の前端部は、第２天壁部２８の下面における進入孔２８ａの開口周縁部の後端縁に位置している。第２補強壁部３７の後端部は、第３天壁部２９の前端部に位置している。
ここで、天壁部２５の下面には、進入孔２８ａの開口周縁部を囲う第３補強壁部３８が形成されている。第３補強壁部３８は、第１補強壁部３６の後端部と第２補強壁部３７の前端部とを連結している。
【００３０】
図２に示すように、周壁部２４の内周面のうちの前端部には、後方に向かって突出する第２係合突部２４ａが形成されている。
【００３１】
図２および図３に示すように、第１天壁部２７および第２天壁部２８の外周縁には、上方に向かって突出する延長周壁２６が形成されている。延長周壁２６の上端縁の上下方向の位置は、延長周壁２６の周方向の全長にわたって一定である。すなわち、延長周壁２６の天壁部２５からの上方突出量は、第１天壁部２７に位置する部分よりも第２天壁部２８に位置する部分の方が短い。
【００３２】
図２から図４に示すように、開封部材４１は、前端部にシール材１８を破断する破断部４２が形成されるとともに、破断部４２よりも後方に配設されたヒンジ部４３を介して天壁部２５に連結された主板部４４を備えている。開封部材４１は、天壁部２５の貫通孔２５ａ内に配設されている。
主板部４４は、上面視において一対の規制部３２により左右方向に挟まれる位置に配設されている。主板部４４は、前板部４６と、前板部４６の後方に配設された後板部４７と、前板部４６と後板部４７とを連結する連結部４８と、を備える。
【００３３】
図２に示すように、連結部４８は、前板部４６の後端縁の下端部と後板部４７の前端縁の下端部とを連結している。図３および図４に示すように、連結部４８は、左右方向に間隔を空けて一対配設されている。
【００３４】
図２から図４に示すように、前板部４６は、表裏面が上下方向を向く板状に形成され、貫通孔２５ａのうち第１天壁部２７に形成された部分内に配設されている。前板部４６は、前部と、前部の後方に配設され前部よりも幅の広い後部と、を備えている。前部および後部それぞれの左右方向の中央部は、互いに一致している。前部と後部との接続部分は、後方から前方に向かうに従い漸次、左右方向の幅が小さくなる。前板部４６の後端縁は、規制部３２よりも後方であって、進入孔２８ａよりも前方に位置している。
【００３５】
図２および図４に示すように、破断部４２は、前板部４６の前部から下方に向かって突出するとともに、下方に向かって尖る開封刃５０および先行刃５１を有している。開封刃５０は、先行刃５１よりも前方に配設されている。開封刃５０は、前板部４６の前部の左右方向の全域にわたって延びる壁状に形成されている。開封刃５０における前面には、開封刃５０から前方に向かって突出する被係合突部５０ａが形成されている。被係合突部５０ａは、蓋体２１の第２係合突部２４ａに第２係合突部２４ａの上方から当接していて、開封刃５０が第２係合突部２４ａよりも下方へ移動することが抑止されている。
【００３６】
先行刃５１は、開封刃５０に比べて左右方向の幅が小さい。主板部４４が、破断部４２を下方に向かわせるようにヒンジ部４３周りに回転したときに、シール材１８に、開封刃５０よりも先に先行刃５１が当接するように、開封刃５０および先行刃５１の下端部の上下方向の位置が調節されていることが好ましい。
破断部４２は、シール材１８の外周部に対して上下方向に対向している。図２に示す、破断部４２がシール材１８に対向してシール材１８から上方に離れた主板部４４の姿勢が、初期姿勢である。初期姿勢の主板部４４の上端部、および延長周壁２６の上端部それぞれの上下方向の各位置は、互いに同等である。
【００３７】
図２から図４に示すように、後板部４７は、表裏面が上下方向を向く板状に形成されている。後板部４７の左右方向の幅、および前板部４６の左右方向の幅は、互いに同等である。後板部４７および前板部４６それぞれの左右方向の中央部は、互いに一致している。
後板部４７の後端部は、上方に向かって膨出し、かつ後半分が排除された後方に向かって開口したドーム状に形成された操作部４７ａである。操作部４７ａの後端縁は、天壁部２５における貫通孔２５ａの開口周縁部の後端縁から前方に離れていて、これらの間に指が挿入可能である。操作部４７ａは、ヒンジ部４３よりも後方に配設されている。
【００３８】
図４および図５に示すように、後板部４７には、左右方向の両外側に向かって突出した被係止部４７ｂが各別に形成されている。被係止部４７ｂは、進入孔２８ａの内側に配設されている。なお、図５では、主板部４４の姿勢が初期姿勢であるときの被係止部４７ｂを二点鎖線で示している。被係止部４７ｂは、後板部４７の前端部に配設されている。
被係止部４７ｂの後面は、進入孔２８ａの内面における後端部から前方に離れている。
【００３９】
図５に示すように、ヒンジ部４３の厚さは、開封部材４１の被係止部４７ｂ、および蓋体２１の第１天壁部２７の厚さよりも薄い。ヒンジ部４３は、天壁部２５の上面における進入孔２８ａの開口周縁部の前端縁に連結されている。被係止部４７ｂは、ヒンジ部４３にヒンジ部４３の後方から連なり下方に向かって突出している。ヒンジ部４３は、被係止部４７ｂの前面における上端部と第１天壁部２７の後端における上端部とを連結している。
図３および図４に示すように、ヒンジ部４３は左右方向に延び、天壁部２５の進入孔２８ａ内に各別に配設されている。一対のヒンジ部４３は、左右方向に延びる同一直線上に配設されている。
ヒンジ部４３は、規制部３２よりも後方に配設されている。ヒンジ部４３の左右方向の外側の端部、および第２規制部３４の左右方向の各位置は、互いに同等である。
【００４０】
主板部４４がヒンジ部４３周りに回転したときに、図５に示すように、被係止部４７ｂが、第２天壁部２８に形成された係止部２８ｂに係止する。係止部２８ｂは、第２天壁部２８の上面における進入孔２８ａの開口周縁部の後端縁と、進入孔２８ａの内面と、を接続する角部である。
なお、係止部２８ｂは、この角部に限られず、第２天壁部２８の上面における進入孔２８ａの開口周縁部の後端縁であってもよいし、進入孔２８ａの内面における後端部であってもよい。
【００４１】
図３および図４に示すように、蓋体２１の第２天壁部２８と開封部材４１の後板部４７とは、破断可能なブリッジ５３を介して各別に連結されている。ブリッジ５３は、上面視において後板部４７を左右方向に挟むように一対配設されている。
【００４２】
図２に示すように、オーバーキャップ６１は、周壁部６２と、周壁部６２の上端部からこの上端部の全周にわたって径方向内側に向かって突出する円板状の天壁部６３と、を有している。周壁部６２は、蓋体２１の装着筒部２２に外嵌された大径部６２ａと、大径部６２ａの上方に配設され蓋体２１の周壁部２４を全周にわたって囲繞する小径部６２ｂと、大径部６２ａの上端部と小径部６２ｂの下端部とを連結するフランジ部６２ｃと、を備えている。フランジ部６２ｃは、連結板２３の上面に配設されている。
大径部６２ａの内周面には、径方向内側に向かって突出する係合突部６２ｄが全周にわたって形成されている。係合突部６２ｄは、フランジ部６２ｃよりも下方に配置されている。なお、係合突部６２ｄは、大径部６２ａの内周面に周方向に間隔を空けて複数形成されてもよい。
フランジ部６２ｃおよび係合突部６２ｄが蓋体２１の装着筒部２２を上下方向に挟むことで、蓋体２１にオーバーキャップ６１が装着されている。
天壁部６３には、下方に向かって凹んだ保持溝６３ａが形成されている。保持溝６３ａは円環状に形成され、容器軸Ｏと同軸に配設されている。保持溝６３ａの外径はカップ体１１の底部１２の下端開口縁の外径よりも大きく、保持溝６３ａの内径はカップ体１１の底部１２の下端開口縁の内径よりも小さい。天壁部６３は、開封部材４１を上方から覆う。
【００４３】
開封部材４１がオーバーキャップ６１の天壁部６３により覆われていることで、初期姿勢である主板部４４が意図せずに操作されてしまうのを抑制することができる。
カップ体１１を上下方向に重ね合わせながら多段に積み上げる際に、図１に示すように、オーバーキャップ６１の保持溝６３ａに別の蓋付カップ容器１のカップ体１１の底部１２の下端開口縁が差し込まれる。したがって、上下方向に重ね合わせた複数の蓋付カップ容器１を安定させることができる。
【００４４】
次に、以上のように構成された蓋付カップ容器１の作用について説明する。
まず、蓋付カップ容器１からオーバーキャップ６１を取り外す。次に、主板部４４の操作部４７ａの後端縁と、天壁部２５における貫通孔２５ａの開口周縁部の後端縁と、の間に指を挿入し、図６に示すように、操作部４７ａを引き上げる。これにより、一対のブリッジ５３が破断し、主板部４４がヒンジ部４３周りに回転して、開封刃５０の被係合突部５０ａが蓋体２１の第２係合突部２４ａを下方に乗り越え、主板部４４がヒンジ部４３周りに回転可能になる。
【００４５】
そして、引き続き主板部４４をヒンジ部４３周りに回転させると、主板部４４は、上面視においてシール材１８のうち一対の規制部３２同士の間に位置する部分を、破断部４２により破断して開放部分Ｒ１にする、図６に示されるような破断姿勢になる。開放部分Ｒ１は、シール材１８の外周部に形成される。
また、以上の過程において、被係止部４７ｂが進入孔２８ａ内でヒンジ部４３周りに回転することで、被係止部４７ｂの下面が係止部２８ｂに摺接して係止される。（図５参照）。この際に、シール材１８と蓋体２１との間の空間において、開放部分Ｒ１の上方に位置する部分（以下、流通空間Ｒ２という）が、左右方向の両側は規制部３２により覆われるとともに、後方は主板部４４により覆われる。
【００４６】
以上説明したように、本実施形態の蓋付カップ容器１によれば、流通空間Ｒ２が３方向から覆われることで、シール材１８の開放部分Ｒ１を通して注出された内容物がシール材１８の上面に溜まるのを抑制することができる。
蓋体２１に係止部２８ｂが設けられていることで、主板部４４を、シール材１８を破断した破断姿勢に保持することが可能になり、流通空間Ｒ２が３方向から覆われた状態を確実に保持することができる。
【００４７】
主板部４４にヒンジ部４３に連なる被係止部４７ｂが形成されるとともに、天壁部２５に進入孔２８ａが形成されている。主板部４４の回転中心となるヒンジ部４３の近傍に被係止部４７ｂが配設されるため、主板部４４に作用させた力よりも大きな力が被係止部４７ｂに作用し、主板部４４を移動させた距離よりも被係止部４７ｂが移動する距離が短くなる。したがって、係止部２８ｂに被係止部４７ｂを係止させるのに要する力、および被係止部４７ｂの回転移動量を抑制することが可能になり、簡易な構成で優れた操作性を与えることができる。
破断部４２は、シール材１８の外周部に対して上下方向に対向している。このため、流通空間Ｒ２をシール材１８と蓋体２１との間の空間における前端部に位置させることが可能となり、流通空間Ｒ２よりも前方に位置するシール材１８を極力排除することができる。したがって、前述のように流通空間Ｒ２が３方向から覆われていることから、内容物がシール材１８と蓋体２１との間の空間に流入するのを確実に抑制することができる。
【００４８】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、主板部４４をヒンジ部４３周りに回転させるのに、ヒンジ部４３よりも後方に配設された操作部４７ａを引き上げたが、主板部４４のうちヒンジ部４３よりも前方に配設された部分を押し下げてもよい。
蓋付カップ容器１は、オーバーキャップ６１、係止部２８ｂ、及び被係止部４７ｂを備えなくてもよい。破断部４２は、シール材１８の中央部に対して上下方向に対向する位置に配設されてもよい。
【符号の説明】
【００４９】
１    蓋付カップ容器
１１  カップ体
１８  シール材
２１  蓋体
２５  天壁部
２８ａ  進入孔
２８ｂ  係止部
３２  規制部
４１  開封部材
４２  破断部
４３  ヒンジ部
４４  主板部
４７ｂ  被係止部
【図１】
2018203304.tif 000003
【図２】
2018203304.tif 000004
【図３】
2018203304.tif 000005
【図４】
2018203304.tif 000006
【図５】
2018203304.tif 000007
【図６】
2018203304.tif 000008